(57)【要約】    【課題】  幼児連れの大人が安心して利用することができるようにしたベンチを提供する。    【解決手段】  座板(13)を主脚(11)によって支持して構成され、少なくとも成人と幼児が並んで座ることのできるようにしたベンチであって、座板には成人が座ることのできる広い横幅の成人用座面(13A)と幼児が座ることのできる狭い横幅の幼児用座面(13B)とを長さ方向に隣接して設け、幼児用座面の前方下側には幼児の足が届く高さに足載せ部(14)を配置する。  成人用座面は幼児用座面の両側に設けるのがよい。【選択図】  図１
0003128444.tif 000002
【実用新案登録請求の範囲】
【請求項１】
座板を主脚によって支持して構成され、少なくとも成人と幼児が横に並んで座ることのできるようにしたベンチであって、
座板には成人が座ることのできる広い横幅の成人用座面と幼児が座ることのできる狭い横幅の幼児用座面とが長さ方向に隣接して設けられ、幼児用座面の前方下側には幼児の足が届く高さに足載せ部が配置されていることを特徴とするベンチ。
【請求項２】
上記成人用座面が上記幼児用座面の両側に設けられている請求項１記載のベンチ。
【請求項３】
上記成人用座面の後縁と幼児用座面の後縁とが同一の直線上に設定されている請求項１又は２記載のベンチ。
【請求項４】
上記成人用座部と幼児用座部との間には中間脚が設けられ、上記足載せ部は上記主脚及び／又は上記中間脚に取付けられている請求項１ないし３のいずれかに記載のベンチ。
【考案の詳細な説明】
【技術分野】
【０００１】
本考案はベンチに関し、特に幼児連れの大人が安心して利用することができるようにした親子ベンチに関する。
【背景技術】
【０００２】
例えば、鉄道の駅、公園、歩道、運動施設などでは利用者が休憩できるようにあるいは楽な姿勢で競技を観戦できるように、ベンチを設置することが多い。
【０００３】
従来この種のベンチには種々な構造のものが知られている。例えば、左右の脚に座板を掛け渡した構造（特許文献１、特許文献２）、左右の脚に座板を掛け渡し、座板の背後に背もたれを設けた構造（特許文献３、特許文献４）、複数の椅子を横方向に連結した構造（特許文献５），などが提案されている。
【０００４】
【特許文献１】特開平１１−１４５８１８号公報
【特許文献２】特開２００４−３５０９０５号公報
【特許文献３】特開２００６−７０３５号公報
【特許文献４】特開２００３−３３９４７１号公報
【特許文献５】実開平０４−１１０５５０号公報
【考案の開示】
【考案が解決しようとする課題】
【０００５】
ところで、幼児連れの大人がベンチに利用する場合、ベンチに座った大人の膝に幼児を座らせ、幼児が落ちないように幼児を抱き抱えることが多いが、都合で幼児をベンチに座らせたいこともある。
【０００６】
しかし、従来のベンチでは座板が大人の利用を想定した高さに設定されており、ベンチの座板に幼児を座らせると足が地面に届かず、幼児は姿勢がふらふらと安定せず、何らかの原因で不意に前方に倒れるおそれがあり、大人が手で支えている必要があった。
【０００７】
本考案はかかる問題点に鑑み、幼児連れの大人が安心して利用することができるようにしたベンチを提供することを課題はする。
【課題を解決するための手段】
【０００８】
そこで、本考案に係るベンチは、座板を主脚によって支持して構成され、少なくとも成人と幼児が並んで座ることのできるようにしたベンチであって、座板には成人が座ることのできる広い横幅の成人用座面と幼児が座ることのできる狭い横幅の幼児用座面とが長さ方向に隣接して設けられ、幼児用座面の前方下側には幼児の足が届く高さに足載せ部が配置されていることを特徴とする。
【０００９】
本考案の特徴の１つは座板に成人用の座面と幼児用の座面を並べて形成し、幼児用の座面の下側に幼児の足を載せる足載せ部を設けるようにした点にある。
【００１０】
これにより、ベンチの幼児用座面に幼児を座らせると、幼児の足は地面には届かないが、足載せ部に届くので、幼児の姿勢は安定してふらふらとすることはなく、大人が手で支えなくても不意に前方に倒れるおそれが少なくなる。
【００１１】
その結果、例えば幼児との散歩中に幼児をベンチに座らせておくことができ、大人は常に注意を幼児に向けておく必要がなくなり、大人の負担を軽くできる。
【００１２】
成人用座面及び幼児用座面は隣接して設けられていれば特にその数は限定されないが、幼児を大人の左右いずれか好ましい側に座らせ、あるいは両親の間に幼児を座らせることができるように、幼児用座面の両側に成人用座面を設けるように構成するのがよい。
【００１３】
幼児用座面は成人用座面よりも横幅が狭ければよいが、幼児用座面の前縁と成人用座面の前縁を直線上に位置させると、幼児用座面の下側の足載せ部が前方に突き出ることとなる。そこで、成人用座面の後縁と幼児用座面の後縁とを同一の直線上に設定するのが好ましい。
【００１４】
足載せ部は座板から吊り下げてもよいが、吊り下げ用部材を余分に準備する必要がある。そこで、成人用座部と幼児用座部との間には中間脚を設け、足載せ部は主脚及び／又は中間脚に取付けるようにするのがよい。
【００１５】
本考案では背もたれやひじ掛けについては特に言及していないが、背もたれやひじ掛けは必要に応じて設けることもできる。
【００１６】
座板、主脚、中間脚の材質は特に限定されず、木材、プラスチック、金属材料、その他の公知の材料を用いることができる。
【考案を実施するための最良の形態】
【００１７】
以下、本考案を具体例に基づいて詳細に説明する。図１は本考案に係るベンチの好ましい実施形態を示す。図において、ベンチ１０は例えば木材を用いて製作され、左右の脚１１、中間脚１２に座板１３を取付けて構成されている。
【００１８】
座板１３にはその両側に大人が座ることのできる広い横幅の成人用座面１３Ａが形成され、２つの成人用座面１３Ａの間に幼児が座ることのできる狭い横幅の幼児用座面１３Ｂが形成され、成人用座面１３Ａの後縁と幼児用座面１３Ｂの後縁とは同一の直線上に並べられている。
【００１９】
また、幼児用座面１３Ｂの前方下側には幼児の足が届く高さに足載せ板（足載せ部）１４が配置され、中間脚１２に取付けられている。
【００２０】
例えば、幼児との散歩中に幼児をベンチ１０に座らせる場合には幼児用座面１３Ｂに座らせる。すると、幼児の足は地面には届かないが、足載せ板１４に届くので、幼児の姿勢は安定し、大人が手で支えなくても不意に前方に倒れるおそれが少なくでき、大人は常に注意を幼児に向けておく必要がなくなり、大人の負担が軽くなる。
【００２１】
図２は第２の実施形態を示し、図において図１と同一符号は同一又は相当部分を示す。本例のベンチ１０’では座板１３に成人用座面１３Ａと幼児用座面１３Ｂを１つずつ並べて形成しており、このように１つの成人用座面１３Ａと１つの幼児用座面１３Ｂを隣接して形成するようにしてもよい。
【００２２】
図３は第３の実施形態を示し、図において図１と同一符号は同一又は相当部分を示す。本例のベンチ１０”では２つの成人用座面１３Ａ及び１つの幼児用座面１３Ｂの背後に背もたれ１５を形成するようにしている。
【００２３】
図４は第４の実施形態を示し、図において図２と同一符号は同一又は相当部分を示す。本例のベンチ１０'''では１つの成人用座面１３Ａ及び１つの幼児用座面１３Ｂの背後に背もたれ１５を形成するようにしている。
【００２４】
なお、本考案は上記の実施形態に限定されず、例えば木材以外の材料で製作することができる。また、座板にはひじ掛けを設けるようにしてもよい。
【図面の簡単な説明】
【００２５】
【図１】本考案に係るベンチの好ましい実施形態を示す概略斜視図である。
【図２】第２の実施形態を示す概略斜視図である。
【図３】第３の実施形態を示す概略斜視図である。
【図４】第４の実施形態を示す概略斜視図である。
【符号の説明】
【００２６】
１０、１０’、１０”、１０'''   ベンチ
１１      主脚
１２      中間脚
１３      座板
１３Ａ      成人用座面
１３Ｂ      幼児用座面
１４      足載せ板（足載せ部）
１５      背もたれ
【図１】
0003128444.tif 000003
【図２】
0003128444.tif 000004
【図３】
0003128444.tif 000005
【図４】
0003128444.tif 000006